(57)【要約】【課題】本願発明の課題は、従来が抱える問題を解決することであり、いわば乱立するアイコンを回避することができ、目的のアイコンを検索しやすく、すなわち目的の情報を検索しやすい地理情報システムを提供することである。【解決手段】本願発明の地理情報システムは、位置に関連する情報を有するアイコンを地図上に表示するシステムであって、主アイコン指定手段と、従アイコン指定手段、統合アイコン作成手段を備えたものである。統合アイコン作成手段は、従アイコンを主アイコンに統合して「統合アイコン」を表示する手段である。主アイコンが選択され、従アイコンが選択されると、統合アイコン作成手段が、従アイコンを非表示にするとともに、主アイコンの表示位置に統合アイコンを表示する。【選択図】図３
2019197360.tif 000002
【特許請求の範囲】
【請求項１】
位置に関連する情報を有するアイコンを地図上に表示する地理情報システムにおいて、
地図上に表示されたアイコンの中から選択されたアイコンを、主アイコンとする主アイコン指定手段と、
地図上に表示されたアイコンの中から選択された１又は２以上のアイコンを、従アイコンとする従アイコン指定手段と、
前記従アイコンを前記主アイコンに統合して、統合アイコンを表示する統合アイコン作成手段と、を備え、
前記主アイコンが選択され、前記従アイコンが選択されると、前記統合アイコン作成手段が、該従アイコンを非表示にするとともに、該主アイコンの表示位置に前記統合アイコンを表示する、
ことを特徴とする地理情報システム。
【請求項２】
位置に関連する情報を有するアイコンを地図上に表示する地理情報システムにおいて、
地図上に表示されたアイコンの中から選択されたアイコンを、主アイコンとする主アイコン指定手段と、
前記主アイコンの表示位置から所定距離以内にあるアイコンを、従アイコンとして抽出する従アイコン抽出手段と、
前記従アイコンを前記主アイコンに統合して、統合アイコンを表示する統合アイコン作成手段と、を備え、
前記主アイコンが選択されると、前記従アイコン抽出手段が前記従アイコンを抽出し、前記統合アイコン作成手段が、該従アイコンを非表示にするとともに、該主アイコンの表示位置に前記統合アイコンを表示する、
ことを特徴とする地理情報システム。
【請求項３】
前記統合アイコン作成手段は、前記主アイコンが有する情報に共通する情報を有するアイコンを前記従アイコンとして抽出する、
ことを特徴とする請求項２記載の地理情報システム。
【請求項４】
前記統合アイコンに統合された前記主アイコンと前記従アイコンの総数を、該統合アイコンの周辺に又は該統合アイコンに重ねて、表示するアイコン数表示手段を、さらに備えた、
ことを特徴とする請求項１乃至請求項３のいずれかに記載の地理情報システム。
【請求項５】
前記統合アイコンを元のアイコンに戻す統合解除手段を、さらに備え、
地図上に表示された前記統合アイコンを指定すると、前記統合解除手段が、前記統合アイコンを非表示にするとともに、統合された前記主アイコンと前記従アイコンを元の位置に表示する、
ことを特徴とする請求項１乃至請求項４のいずれかに記載の地理情報システム。
【発明の詳細な説明】
【技術分野】
【０００１】
本願発明は、地理情報システム（ＧＩＳ：Ｇｅｏｇｒａｐｈｉｃ  Ｉｎｆｏｒｍａｔｉｏｎ  Ｓｙｓｔｅｍ）の技術に関するものであり、より具体的には、地図上に表示された複数のアイコンを統合することができる地理情報システムに関するものである。
【背景技術】
【０００２】
地理情報システムは、位置に関する情報（以下、「空間データ」という。）を取り扱うシステムであり、位置情報を基に空間データを地図上に表示し、位置情報を手掛かりとして目的の空間データを検索することができ、高度な分析や迅速な判断を行うことができる技術である。
【０００３】
地理情報システムは、特許文献１にも開示されているように、空間データに関連づく位置にアイコンを表示するのがひとつの特報である。アイコンを指定（クリック）すると、その空間データの概要情報あるいは詳細情報が表示されるわけである。そして従来の地理情報システムでは、１の空間データに対して１のアイコンを表示している。
【先行技術文献】
【特許文献】
【０００４】
【特許文献１】特開２０１１−１１３２４６号公報
【発明の概要】
【発明が解決しようとする課題】
【０００５】
例えば、住民からの要望等の情報を管理する地理情報システムでは、同じ施設に対して複数の要望情報が入力されることがある。この場合、同じ施設（つまり同じ位置）について、入力された数だけのアイコンが表示されることになる。そして、その中から目的の情報を確認しようとすると、ひとつずつ順にアイコンをクリックしていかなければならない。
【０００６】
本願発明の課題は、従来が抱える問題を解決することであり、いわば乱立するアイコンを回避することができ、目的のアイコンを検索しやすく、すなわち目的の情報を検索しやすい地理情報システムを提供することである。
【課題を解決するための手段】
【０００７】
本願発明は、お互いに近接しているなど相互に関連するアイコンを統合して代表的なアイコンを表示する、という点に着目したものであり、従来にはなかった発想に基づいてなされた発明である。
【０００８】
本願発明の地理情報システムは、位置に関連する情報を有するアイコンを地図上に表示するシステムであって、主アイコン指定手段と、従アイコン指定手段、統合アイコン作成手段を備えたものである。主アイコン指定手段は、地図上に表示されたアイコンの中から選択されたアイコンを「主アイコン」とする手段であり、従アイコン指定手段は、地図上に表示されたアイコンの中から選択された１又は２以上のアイコンを「従アイコン」とする手段であり、統合アイコン作成手段は、従アイコンを主アイコンに統合して「統合アイコン」を表示する手段である。主アイコンが選択され、従アイコンが選択されると、統合アイコン作成手段が、従アイコンを非表示にするとともに、主アイコンの表示位置に統合アイコンを表示する。
【０００９】
本願発明の地理情報システムは、主アイコンの表示位置から所定距離以内にあるアイコンを従アイコンとして抽出するシステムとすることもできる。この場合、主アイコンが選択されると、従アイコン抽出手段が従アイコンを抽出し、統合アイコン作成手段が、従アイコンを非表示にするとともに、主アイコンの表示位置に統合アイコンを表示する、
【００１０】
本願発明の地理情報システムは、主アイコンの情報に関連する情報を有するアイコンを従アイコンとして抽出するシステムとすることもできる。
【００１１】
本願発明の地理情報システムは、アイコン数表示手段をさらに備えたシステムとすることもできる。アイコン数表示手段は、統合アイコンに統合された主アイコンと従アイコンの総数を、統合アイコンの周辺（あるいは統合アイコンに重ねて）表示する手段である。
【００１２】
本願発明の地理情報システムは、統合解除手段をさらに備えたシステムとすることもできる。統合解除手段は、統合アイコンを元のアイコンに戻す手段である。地図上に表示された統合アイコンを指定すると、統合解除手段が、統合アイコンを非表示にするとともに、統合された主アイコンと従アイコンを元の位置に表示する。
【発明の効果】
【００１３】
本願発明の地理情報システムには、次のような効果がある。
（１）目的のアイコンが検索しやすく、すなわち目的の情報を容易かつ迅速に取得することができる。
（２）表示されるアイコン数を少なくすることができることから、背景にある地図情報が隠されることなく、従来に比して多くの情報を得ることができる。
【図面の簡単な説明】
【００１４】
【図１】第１の実施形態における本願発明の地理情報システムの主な構成を示すブロック図。
【図２】第１の実施形態における本願発明の地理情報システムの主な処理の流れを示すフロー図。
【図３】本願発明の地理情報システムの主な処理を示すステップ図。
【図４】統合アイコンを解除して主アイコンと従アイコンを個別表示するステップ図。
【図５】第２の実施形態における本願発明の地理情報システムの主な構成を示すブロック図。
【図６】第２の実施形態における本願発明の地理情報システムの主な処理の流れを示すフロー図。
【発明を実施するための形態】
【００１５】
本願発明の地理情報システムの実施形態の一例を、図を参照しながら説明する。本願発明の地理情報システムは、地図上に表示された複数のアイコンのうち１のアイコン（以下、「主アイコン」という。）を定め、この主アイコンの周辺に表示された１又は２以上のアイコン（以下、「従アイコン」という。）を主アイコンに統合することをひとつの特徴としている。そして。本願発明は、ユーザが従アイコンを選択する態様と、自動的に従アイコンを抽出する態様に２分することができる。以下、ユーザが従アイコンを選択する態様を第１の実施形態とし、自動的に従アイコンを抽出する態様を第２の実施形態として、それぞれ分けて説明することとする。
【００１６】
１．第１の実施形態
本願発明の地理情報システムの第１の実施形態について、図１〜図３を参照しながら説明する。図１は第１の実施形態における地理情報システム１００の主な構成を示すブロック図であり、図２は第１の実施形態における地理情報システム１００の主な処理の流れを示すフロー図、図３は地理情報システム１００の主な処理を示すステップ図である。
【００１７】
第１の実施形態における地理情報システム１００は、図１に示すように、主アイコン指定手段１０１と、従アイコン指定手段１０２、統合アイコン作成手段１０３を含んで構成され、さらに空間データ記憶手段１０４と、アイコン数表示手段１０５、統合解除手段１０６を含んで構成することもできる。このうち空間データ記憶手段１０４は空間データを記憶するものであり、また空間データとは少なくとも位置情報と属性情報を備えたデータである。通常、１の空間データは２以上の種類の属性情報を備えている。
【００１８】
従アイコンを主アイコンに統合するにあたっては、図２に示すようにまず主アイコンを指定する（Ｓｔｅｐ１０１）。具体的には、地図上に複数のアイコンが表示された状態（図３（ａ））から、ユーザがクリック操作等によって主アイコンを指定する（図３（ｂ））。主アイコンを指定するのが図１に示す主アイコン指定手段１０１であり、主アイコンが指定されると主アイコン指定手段１０１が空間データ記憶手段１０４から主アイコンの空間データ（位置情報と属性情報）を読み出す。
【００１９】
主アイコンを指定すると、次に従アイコンを指定する（Ｓｔｅｐ１０２）。具体的には、主アイコンの周辺に表示されたアイコンの中からユーザがクリック操作等によって従アイコンを指定する（図３（ｃ））。このとき、１の従アイコンを指定することもできるし、２以上の従アイコンを指定することもできる。従アイコンを指定するのが図１に示す従アイコン指定手段１０２であり、従アイコンが指定されると従アイコン指定手段１０２が空間データ記憶手段１０４から従アイコンの空間データ（位置情報と属性情報）を読み出す。
【００２０】
主アイコンと従アイコンを指定すると、図１に示す統合アイコン作成手段１０３が統合アイコンを作成して地図上に表示する（Ｓｔｅｐ１０３）。このとき、図３（ｄ）に示すように、統合アイコンは主アイコンが表示されていた位置に表示され、従アイコンは非表示とされる。
【００２１】
統合アイコンは、主アイコンと従アイコンの空間データを備えている。そのため、図３（ｄ）に示すように、統合アイコンをクリックしたときに主アイコンと従アイコンの属性情報を表示させる仕様とすることができる。また、図１に示すアイコン数表示手段１０５によって、統合アイコンを作成する基礎となった主アイコンと従アイコンの総数を表示させる仕様とすることもできる。この場合、統合アイコンの周辺にアイコン総数を表示することもできるし、統合アイコンに重ねて表示することも、あるいは図３（ｄ）に示すように統合アイコンに一部重ねてアイコン総数（図では、主アイコン数１＋従アイコン数４＝５）を表示することもできる。
【００２２】
統合アイコンを作成したとしても、元の状態、すなわち主アイコンと従アイコンがそれぞれ個別表示される状態を再確認したいこともある。統合アイコンを解除して元の状態を表示するのが、図１に示す統合解除手段１０６である。具体的には、統合解除手段１０６を用いて解除モードとしたうえで、ユーザがクリック操作等によって統合アイコンを指定すると、統合アイコンが非表示にされ主アイコンと従アイコンが個別表示される。図４では、統合アイコンを解除することで、１の主アイコンと４の従アイコンを個別表示する例を示している。なお、統合解除手段１０６によって解除された主アイコンと従アイコンは、それぞれ元の位置に表示することもできるし、図４に示すように所定の配置（この図では、直線上に一定間隔で配置）で表示することもできる。
【００２３】
２．第２の実施形態
地理情報システムの第２の実施形態について、図５〜図６を参照しながら説明する。図５は第２の実施形態における地理情報システム１００の主な構成を示すブロック図であり、図６は第２の実施形態における地理情報システム１００の主な処理の流れを示すフロー図である。
【００２４】
第２の実施形態における地理情報システム１００は、図５に示すように、主アイコン指定手段１０１と、従アイコン抽出手段１０７、統合アイコン作成手段１０３を含んで構成され、さらに空間データ記憶手段１０４と、アイコン数表示手段１０５、統合解除手段１０６を含んで構成することもできる。なお、主アイコン指定手段１０１と、統合アイコン作成手段１０３、空間データ記憶手段１０４、アイコン数表示手段１０５、統合解除手段１０６は第１の実施形態と同様のものであり、したがって第１の実施形態と重複する内容の説明は避け、第２の実施形態に特有の内容のみ説明することとする。すなわち、ここに記載されていない内容は、第１の実施形態で記載したものと同様である。
【００２５】
主アイコン指定手段１０１によって主アイコンが指定される（Ｓｔｅｐ２０１）と、従アイコン抽出手段１０７が統合すべき従アイコンを抽出する。ここで「統合すべき従アイコン」は、主アイコンから所定の距離（以下、「距離閾値」という。）以内にある（位置情報を有する）アイコンとされる。したがって、主アイコンが指定されると、従アイコン抽出手段１０７は主アイコンから距離閾値以内にあるアイコンを検出し（Ｓｔｅｐ２０２）、これを従アイコンとして抽出する（Ｓｔｅｐ２０４）。もちろん、１の従アイコンが抽出されることもあれば、２以上の従アイコンが抽出されることもある。
【００２６】
従アイコンの抽出は、距離閾値以内にあるという条件に加え、主要な属性が主アイコンと共通することを条件とすることもできる。ここで主要な属性情報とは、複数種類の属性データのうちあらかじめ定められるものであって、例えば、施設情報（施設を特定する識別子など）や時間（入力時刻や事象発生時刻など）、あるいは入力者など、統合するためのキーとなる属性情報を設定するとよい。この場合、図５に示すように、距離閾値以内にあるアイコンの中から、さらに主要な属性情報が主アイコンと共通する（例えば、施設情報が同じなど）従アイコンを検出し（Ｓｔｅｐ２０３）、これを従アイコンとして抽出する（Ｓｔｅｐ２０４）。
【００２７】
従アイコンが抽出されると、第第１の実施形態と同様、統合アイコン作成手段１０３が統合アイコンを作成して地図上に表示する（Ｓｔｅｐ２０５）。
【産業上の利用可能性】
【００２８】
本願発明の地理情報システムは、要望情報を管理する地理情報システムや、上下水道といった施設の情報を管理する地理情報システムなど、種々の地理情報システムに利用することができる。
【符号の説明】
【００２９】
１００  地理情報システム
１０１  （地理情報システムの）主アイコン指定手段
１０２  （地理情報システムの）従アイコン指定手段
１０３  （地理情報システムの）統合アイコン作成手段
１０４  （地理情報システムの）空間データ記憶手段
１０５  （地理情報システムの）アイコン数表示手段
１０６  （地理情報システムの）統合解除手段
１０７  （地理情報システムの）従アイコン抽出手段
【図１】
2019197360.tif 000003
【図２】
2019197360.tif 000004
【図３】
2019197360.tif 000005
【図４】
2019197360.tif 000006
【図５】
2019197360.tif 000007
【図６】
2019197360.tif 000008